(57)【要約】【解決手段】タブ部材付きパレットＰを、パレット本体Ｐ’と、該パレット本体の周壁１に穿設されたスリット３に挿入されるタブ部材Ｔと、該タブ部材を、パレット本体に取り付けるための係止部材Ｈとから構成するとともに、タブ部材を、パレット本体に出し入れ自在に形成したものである。【効果】タブ部材付きパレットを、パレット本体と、該パレット本体の周壁に穿設されたスリットに挿入されるタブ部材と、該タブ部材を、パレット本体に取り付けるための係止部材とから構成するとともに、タブ部材を、パレット本体に出し入れ自在に形成したので、タブが、薄肉状のヒンジ部を介して、パレットの側部に形成されている従来のパレットのように、ヒンジ部が損傷するようなことを防止することができる。【選択図】図１０
2010116195.tif 000002
【特許請求の範囲】
【請求項１】
タブ部材付きパレットを、パレット本体と、該パレット本体の周壁に穿設されたスリットに挿入されるタブ部材と、該タブ部材を、パレット本体に取り付けるための係止部材とから構成するとともに、前記タブ部材を、前記パレット本体に出し入れ自在に形成したことを特徴とするタブ部材付きパレット。
【請求項２】
前記タブ部材が、前記パレット本体内に収容された状態においては、前記タブ部材の収容舌片に形成された係止突起が、前記パレット本体に形成された隣り合う箱状体の奥壁を連結する連結壁と奥部係止突起と底部とにより形成される凹部に嵌合されるように構成されていることを特徴とする請求項１に記載のタブ部材付きパレット。
【請求項３】
前記タブ部材が、前記パレット本体から引き出された状態においては、前記タブ部材の収容舌片に形成された係止突起が、前記パレット本体に形成された前部係止突起に当接、或いは、近接して位置するように構成されていることを特徴とする請求項１又は請求項２に記載のタブ部材付きパレット。
【請求項４】
前記パレット本体の周壁を、前記パレット本体の底部の周縁から上方に向かって、外側に傾斜するように立設したことを特徴とする請求項１〜請求項３のいずれか１項に記載のタブ部材付きパレット。
【発明の詳細な説明】
【技術分野】
【０００１】
本願発明は、荷物が載置されるパレット本体と、プッシュプル装置付きのフォークリフトのフェースプレートの下端部に配設されたグリッパーにより挟持されるタブ部材とを有するタブ部材付きパレットに関するものである。
【背景技術】
【０００２】
従来、パレットの側部に、薄肉状のヒンジ部を介して、帯状のタブを形成し、該タブを、プッシュプル装置付きのフォークリフトのフェースプレートの下端部に配設されたグリッパーにより挟持することにより、多段に段積みされている荷物を段ばらししたり、或いは、荷物が載置されたパレットを段積みすること等が行われている。
【０００３】
例えば、パレットを介して、多段に段積みされている荷物を、プッシュプル装置付きのフォークリフトを使用して、段ばらしする場合には、一番上に位置する、荷物が載置されているパレットのタブを、プッシュプル装置付きのフォークリフトのフェースプレートの下端部に配設されたグリッパーで挟持するとともに、グリッパーで挟持されたパレットのタブを上方に持ち上げて、パレットのグリッパー側の裏面と下に位置する荷物の上面との間に、楔状の間隙を形成し、この間隙に、プラテンの先端部を挿入する。その後、フェースプレートを後退させて、プラテンに、荷物が載置されているパレットを移載するようして、多段に段積みされている荷物を、プッシュプル装置付きのフォークリフトを使用して、段ばらしすることが行われている。
【０００４】
上述したパレットは、一例として、特許文献１に開示されている。
【０００５】
【特許文献１】特開２００８−１７４２６０号公報
【発明の開示】
【発明が解決しようとする課題】
【０００６】
上述したパレットにおいては、タブが、薄肉状のヒンジ部を介して、パレットの側部に形成されているために、プッシュプル装置付きのフォークリフトにより、繰り返し行われる段ばらし作業や段積み作業により、薄肉状のヒンジ部が損傷するという問題があった。このように、薄肉状のヒンジ部が損傷した場合には、パレット全体を廃棄しなければならないことになる。
【０００７】
また、タブは、プッシュプル装置付きのフォークリフトによる段ばらし作業や段積み作業が行われない状態においては、パレットの側部に重なるように収容されているが、タブが、不用意に、水平方向に倒れて、パレットの搬送中や運搬中に、水平方向に倒れたタブが、障害物や他のパレットに当接し、損傷するという問題があった。
【０００８】
更に、タブが、パレットの側部に重なるように収容されていても、タブが、パレットの側部に露出しているので、パレットの搬送中や運搬中に、タブが、障害物や他のパレットに当接し、損傷するという問題があった。
【０００９】
本発明の目的は、上述した従来のパレットが有する課題を解決することにある。
【課題を解決するための手段】
【００１０】
本発明は、上述した目的を達成するために、第１には、タブ部材付きパレットを、パレット本体と、該パレット本体の周壁に穿設されたスリットに挿入されるタブ部材と、該タブ部材を、パレット本体に取り付けるための係止部材とから構成するとともに、タブ部材を、パレット本体に出し入れ自在に形成したものであり、第２には、タブ部材が、パレット本体内に収容された状態においては、タブ部材の収容舌片に形成された係止突起が、パレット本体に形成された隣り合う箱状体の奥壁を連結する連結壁と奥部係止突起と底部とにより形成される凹部に嵌合されるように構成したものであり、第３には、タブ部材が、パレット本体から引き出された状態においては、タブ部材の収容舌片に形成された係止突起が、パレット本体に形成された前部係止突起に当接、或いは、近接して位置するように構成したものであり、第４には、パレット本体の周壁を、パレット本体の底部の周縁から上方に向かって、外側に傾斜するように立設したものである。
【発明の効果】
【００１１】
タブ部材付きパレットを、パレット本体と、該パレット本体の周壁に穿設されたスリットに挿入されるタブ部材と、該タブ部材を、パレット本体に取り付けるための係止部材とから構成するとともに、タブ部材を、パレット本体に出し入れ自在に形成したので、タブが、薄肉状のヒンジ部を介して、パレットの側部に形成されている従来のパレットのように、ヒンジ部が損傷するようなことを防止することができる。
【００１２】
また、タブ部材が、パレット本体内に収容された状態においては、タブ部材の収容舌片に形成された係止突起が、パレット本体に形成された隣り合う箱状体の奥壁を連結する連結壁と奥部係止突起と底部とにより形成される凹部に嵌合されるように構成したので、タブ部材に、パレット本体から引き出されようとする負荷が加わっても、係止突起が、奥部係止突起に当接することになり、従って、簡単には、タブ部材が、パレット本体から引き出されるようなことを防止することができる。従って、タブ部材付きパレットの搬送中や運搬中に、不用意に、パレット本体内に収容されているタブ部材が、パレット本体の周壁から、外側に突出しないように構成されているので、タブ部材が、障害物や他のパレットに当接し、損傷するというような問題を解決することができる。
【００１３】
更に、タブ部材が、パレット本体から引き出された状態においては、タブ部材の収容舌片に形成された係止突起が、パレット本体に形成された前部係止突起に当接、或いは、近接して位置するように構成したので、タブ部材に、パレット本体内に引き込まれるような負荷が加わっても、係止突起が、前部係止突起に当接することになり、従って、簡単には、タブ部材が、パレット本体に引き込まれるようなことを防止することができる。従って、タブ部材のタブ本体を、プッシュプル装置付きのフォークリフトのフェースプレートの下端部に配設されたグリッパーにより挟持するようにした際に、タブ部材のタブ本体が、不用意に、パレット本体内に引き込まれるようなことを防止することができる。
【００１４】
更にまた、パレット本体の周壁を、パレット本体の底部の周縁から上方に向かって、外側に傾斜するように立設したので、上方に位置するタブ部材付きパレットの底部及び周壁の下部が、下方に位置するタブ部材付きパレットの底部と外側に傾斜した周壁とにより形成される空間部に収容されることになるので、タブ部材付きパレットの段積み高さを、低くすることができ、従って、段積みされたタブ部材付きパレットの保管スペースを減少することができる。
【実施例】
【００１５】
以下に、本発明の実施例ついて説明するが、本発明の趣旨を越えない限り、何ら、本発明の実施例に限定されるものではない。
【００１６】
先ず最初に、図１及び図２を用いて、タブ部材付きパレットＰの全体構成について概説する。
【００１７】
タブ部材付きパレットＰは、平面形状が略方形状のパレット本体Ｐ’とタブ部材Ｔとから構成されており、タブ部材Ｔは、パレット本体Ｐ’の周壁１に形成された後述するスリットに、出し入れ自在に配設されている。図１には、タブ部材Ｔが、パレット本体Ｐ’に収容された状態が示されており、図２には、タブ部材Ｔが、パレット本体Ｐ’から引き出された状態が示されている。なお、Ｇは、パレット本体Ｐ’の上下面に取着された公知のグロメットである。
【００１８】
次に、図３〜図５を用いて、合成樹脂で一体成形されたパレット本体Ｐ’について説明する。
【００１９】
パレット本体Ｐ’の周壁１は、パレット本体Ｐ’の底部２の周縁から上方に向かって、外側に傾斜するように立設されている。換言すれば、底部２と周壁１とのなす角度は、鈍角に形成されている。
【００２０】
パレット本体Ｐ’の周壁１を構成する４つの側壁部１ａの底部２付近には、側壁部１ａの略全幅に亘たって、横長のスリット３が穿設されている。なお、本実施例においては、隣り合う２つの側壁部１ａに、横長のスリット３が穿設されている例が示されているが、４つの側壁部１ａの全てに、横長のスリット３を穿設することも、４つの側壁部１ａのうちの適当な１つの側壁部１ａにのみ、横長のスリット３を穿設することも、また、４つの側壁部１ａのうちの３つの側壁部１ａに、横長のスリット３を穿設することもできる。
【００２１】
スリット３が穿設された側壁部１ａの下端からは、側壁部１ａに沿って、帯状水平部４が、パレット本体Ｐ’の内側方向に延設されているとともに、帯状水平部４の先端には、上方に略垂直に延在する帯状垂直部５が立設されている。なお、６は、側壁部１ａと帯状水平部４と帯状垂直部５とにより形成された、上方が開放された空間部Ａ１を区画する区画壁である。
【００２２】
周壁１付近に位置する底部２には、底部２を、部分的に上方に膨出させることにより、下方が開放された複数の箱状体７が、周壁１に沿って並設されている。箱状体７は、天部７ａと、帯状垂直部５と所定の間隔を置いて位置するとともに、帯状垂直部５に平行な前壁７ｂと、帯状垂直部５に垂直な相対する側壁７ｃと、前壁７ｂと平行な奥壁７ｄとから形成されており、隣り合う箱状体７の奥壁７ｄは、連結壁８により連結されている。また、前壁７ｂの両端部には、相対する側壁７ｃを越えて、外側に延在する係止縁７ｂ１が延設されている。このように構成することにより、底部２には、隣り合う箱状体７の側壁７ｃと、連結壁８と、隣り合う箱状体７の係止縁７ｂ１とにより区画された、後述するタブ部材Ｔ及び係止部材Ｈが配設される、帯状垂直部５側及び上方が開放されたタブスライド部収容空間部Ａ２が形成されている。
【００２３】
タブスライド部収容空間部Ａ２を構成する隣り合う箱状体７の側壁７ｃと底部２とにより形成される、連結壁８付近に位置する隅部には、底部２から連結壁８に向かって上方に傾斜した上部傾斜面９ａと連結壁８側に位置する垂直面９ｂと側壁７ｃに平行な側壁面９ｃとを有する三角柱状の奥部係止突起９が形成されている。同じく、タブスライド部収容空間部Ａ２を構成する隣り合う箱状体７の側壁７ｃと底部２とにより形成される、前壁７ｂ付近に位置する隅部には、底部２から前壁７ｂに向かって上方に傾斜した上部傾斜面１０ａと前壁７ｂ側に位置する垂直面１０ｂと側壁７ｃに平行な側壁面１０ｃとを有する三角柱状の前部係止突起１０が形成されている。また、タブスライド部収容空間部Ａ２内に位置するとともに、係止縁７ｂ１付近に位置する底部２には、前部係止突起１０に沿って、係止透孔１１が穿設されている。
【００２４】
次に、図６を用いて、パレット本体Ｐ’の周壁１を構成する側壁部１ａに穿設された横長のスリット３に、出し入れ自在に収容される合成樹脂で一体成形されたタブ部材Ｔについて説明する。
【００２５】
タブ部材Ｔは、パレット本体Ｐ’の周壁１を構成する側壁部１ａに穿設されたスリット３と略同じ幅を有する帯状のタブ本体ｔ１と、タブ本体ｔ１の一方の長縁ｔ１ａに、所定の間隔を置いて、且つ、長縁ｔ１ａに対して、略垂直に延設された収容舌片ｔ２とを有している。また、帯状のタブ本体ｔ１は、収容舌片ｔ２と略同一平面を有する水平状帯状部ｔ１ｂと、水平状帯状部ｔ１ｂに連接されているとともに、水平状帯状部ｔ１ｂに対して上方に傾斜した傾斜帯状部ｔ１ｃとから形成されている。更に、収容舌片ｔ２の相対する垂直側面ｔ２ａの先端部には、垂直側面ｔ２ａに略垂直な円柱状の係止突起ｔ３が形成されている。
【００２６】
上述したタブ部材Ｔの収容舌片ｔ２は、タブスライド部収容空間部Ａ２を構成する隣り合う箱状体７の側壁７ｃに形成された奥部係止突起９の対向する側壁面９ｃ間及び前部係止突起１０の対向する側壁面１０ｃ間に挿入されるように構成されているとともに、収容舌片ｔ２の相対する垂直側面ｔ２ａの先端部に突設された係止突起ｔ３は、奥部係止突起９及び前部係止突起１０と係合するように構成されている。
【００２７】
次に、図７を用いて、パレット本体Ｐ’の周壁１を構成する側壁部１ａに穿設された横長のスリット３に挿着されたタブ部材Ｔを、パレット本体Ｐ’に取り付けるための係止部材Ｈについて説明する。
【００２８】
係止部材Ｈは、略横長の板状の係止部本体ｈ１と、係止部本体ｈ１の両端部下面から、係止部本体ｈ１に対して略垂直に垂設された、相対する垂直部ｈ２とを有しており、垂直部ｈ２の垂直外側面ｈ２ａの下端部には、係止突起ｈ３が形成されている。係止突起ｈ３は、垂直部ｈ２の垂直外側面ｈ２ａに垂直な水平面ｈ３ａと、水平面ｈ３ａの先端から垂直部ｈ２の垂直外側面ｈ２ａに向かって下方に傾斜した傾斜下面ｈ３ｂと、相対する垂直側面ｈ３ｃとを有している。
【００２９】
また、係止部材Ｈの係止部本体ｈ１の垂直外側面ｈ１ａと垂直部ｈ２の垂直外側面ｈ２ａとは、面一に形成されているとともに、係止部本体ｈ１の垂直外側面ｈ１ａ及び垂直部ｈ２の垂直外側面ｈ２ａの幅Ｗ１は、パレット本体Ｐ’のタブスライド部収容空間部Ａ２を構成する隣り合う箱状体７の側壁７ｃ間の間隔Ｗ２と略同じに形成されている。
【００３０】
次に、図８〜図１１を用いて、係止部材Ｈを介して、パレット本体Ｐ’へのタブ部材Ｔの取り付けについて説明する。
【００３１】
先ず最初に、パレット本体Ｐ’の周壁１を構成する側壁部１ａに穿設された横長のスリット３に、タブ部材Ｔを、収容舌片ｔ２を先にして挿入し、収容舌片ｔ２を、パレット本体Ｐ’のタブスライド部収容空間部Ａ２を構成する隣り合う箱状体７の側壁７ｃに形成された奥部係止突起９の対向する側壁面９ｃ間及び前部係止突起１０の対向する側壁面１０ｃ間に挿入する。この際、タブ部材Ｔの収容舌片ｔ２の相対する垂直側面ｔ２ａの先端部に突設された係止突起ｔ３は、パレット本体Ｐ’に形成された隣り合う箱状体７の奥壁７ｄを連結する連結壁８と底部２に形成された奥部係止突起９と底部２とにより形成される凹部１２に嵌合されるように構成されている。
【００３２】
次いで、パレット本体Ｐ’の上方に配置された係止部材Ｈを下降させて、係止部材Ｈの係止突起ｈ３の傾斜下面ｈ３ｂを、隣り合う箱状体７の天部７ａと側壁７ｃとにより形成される上端角部１３に当接させる。その後、更に、係止部材Ｈを下降させると、係止部材Ｈの係止部本体ｈ１、及び／或いは、垂直部ｈ２が弾性変形し、係止部材Ｈの係止突起ｈ３が、隣り合う箱状体７の対向する側壁７ｃ間に嵌入されることになる。更に、係止部材Ｈを下降させると、係止部材Ｈの係止突起ｈ３が、パレット本体Ｐ’に形成されたタブスライド部収容空間部Ａ２内に位置する係止透孔１１に挿入されるとともに、係止部材Ｈの垂直部ｈ２が、係止部本体ｈ１、及び／或いは、垂直部ｈ２の弾性復元力により、元の垂直状態に戻り、図９に示されているように、突起ｈ３の水平面ｈ３ａが、隣り合う箱状体７の対向する側壁７ｃの係止透孔１１内に位置する下端面７ｃ１に係止されることになる。
【００３３】
上述したように、係止部材Ｈの係止突起ｈ３を、パレット本体Ｐ’に形成されたタブスライド部収容空間部Ａ２内に位置する係止透孔１１に挿入し、突起ｈ３の水平面ｈ３ａを、隣り合う箱状体７の対向する側壁７ｃの係止透孔１１内に位置する下端面７ｃ１に係止することにより、図１０に示されているように、パレット本体Ｐ’の周壁１を構成する側壁部１ａに穿設された横長のスリット３に挿入されたタブ部材Ｔの収容舌片ｔ２が、タブスライド部収容空間部Ａ２内に位置する底部２と係止部材Ｈの係止部本体ｈ１とに間に挟持されるように構成されている。
【００３４】
図８に示されているように、タブ部材Ｔの収容舌片ｔ２の相対する垂直側面ｔ２ａの先端部に突設された係止突起ｔ３が、パレット本体Ｐ’に形成された隣り合う箱状体７の奥壁７ｄを連結する連結壁８と底部２に形成された奥部係止突起９と底部２とにより形成される凹部１２に嵌合されている状態においては、タブ部材Ｔの収容舌片ｔ２の略全体が、パレット本体Ｐ’に形成されたタブスライド部収容空間部Ａ２内に位置しているとともに、タブ部材Ｔの帯状のタブ本体ｔ１が、パレット本体Ｐ’の周壁１を構成する側壁部１ａに穿設された横長のスリット３内に位置しており、従って、タブ部材Ｔの全体が、パレット本体Ｐ’内に収容されていることになる。従って、タブ部材Ｔが、パレット本体Ｐ’の周壁１から、外側に突出しないように構成されている。
【００３５】
また、タブ部材Ｔの全体が、パレット本体Ｐ’内に収容されている状態においては、タブ部材Ｔの収容舌片ｔ２の相対する垂直側面ｔ２ａの先端部に突設された係止突起ｔ３が、パレット本体Ｐ’に形成された隣り合う箱状体７の奥壁７ｄを連結する連結壁８と底部２に形成された奥部係止突起９と底部２とにより形成される凹部１２に嵌合されているので、タブ部材Ｔに、パレット本体Ｐ’から引き出されようとする負荷が加わっても、係止突起ｔ３が、奥部係止突起９の垂直面９ｂに当接することになり、従って、簡単には、タブ部材Ｔが、パレット本体Ｐ’から引き出されるようなことを防止することができる。従って、タブ部材付きパレットＰの搬送中や運搬中に、不用意に、パレット本体Ｐ’内に収容されているタブ部材Ｔが、パレット本体Ｐ’の周壁１から、外側に突出しないように構成されているので、タブ部材Ｔが、障害物や他のパレットに当接し、損傷するというような問題を解決することができる。
【００３６】
更に、図１１に示されているように、タブ部材Ｔの帯状のタブ本体ｔ１が、パレット本体Ｐ’から引き出された際には、換言すれば、タブ部材Ｔの帯状のタブ本体ｔ１が、パレット本体Ｐ’の周壁１を越えて、外側に排出された状態においては、タブ部材Ｔの収容舌片ｔ２の相対する垂直側面ｔ２ａの先端部に突設された係止突起ｔ３が、上述したパレット本体Ｐ’に形成された前部係止突起１０の箱状体７の前壁７ｂ側に位置する垂直面１０ｂに当接、或いは、近接しているので、タブ部材Ｔに、パレット本体Ｐ’内に引き込まれるような負荷が加わっても、係止突起ｔ３が、前部係止突起１０の箱状体７の前壁７ｂ側に位置する垂直面１０ｂに当接することになり、従って、簡単には、タブ部材Ｔが、パレット本体Ｐ’に引き込まれるようなことを防止することができる。従って、タブ部材Ｔのタブ本体ｔ１を、プッシュプル装置付きのフォークリフトのフェースプレートの下端部に配設されたグリッパーにより挟持するようにした際に、タブ部材Ｔのタブ本体ｔ１が、不用意に、パレット本体Ｐ’内に引き込まれるようなことを防止することができる。
【００３７】
なお、上述したように、係止部材Ｈを介して、タブ部材Ｔが、パレット本体Ｐ’に取り付けられた際には、タブ部材Ｔの収容舌片ｔ２の上面ｔ２ｂと、係止部材Ｈの係止部本体ｈ１の下面ｈ１ｂとの間の隙間Ｄ１を、奥部係止突起９及び前部係止突起１０の底部２の上面２ａからの高さＤ２より低くすることが好ましい。このように構成することにより、タブ部材Ｔの収容舌片ｔ２の上面ｔ２ｂと、係止部材Ｈの係止部本体ｈ１の下面ｈ１ｂとの間の隙間Ｄ１が、奥部係止突起９及び前部係止突起１０の底部２の上面２ａからの高さＤ２と同じである場合に比べて、タブ部材Ｔの上下移動が制限され、従って、タブ部材付きパレットに加わる振動等により、タブ部材Ｔが、不用意に移動するようなことを防止することができる。
【００３８】
なお更に、図１１に示されているように、タブ部材Ｔの帯状のタブ本体ｔ１が、パレット本体Ｐ’から引き出された状態から、タブ部材Ｔのタブ本体ｔ１が、プッシュプル装置付きのフォークリフトのフェースプレートの下端部に配設されたグリッパーにより挟持されて、タブ部材Ｔが引っ張られた際には、タブ部材Ｔの収容舌片ｔ２の相対する垂直側面ｔ２ａの先端部に突設された係止突起ｔ３が、係止部材Ｈの相対する垂直部ｈ２に当接するように構成されているので、タブ部材Ｔが、パレット本体Ｐ’から引き抜かれるようなことがない。
【００３９】
更にまた、上述したように、係止部材Ｈを介して、タブ部材Ｔが、パレット本体Ｐ’に、出し入れ自在に配設されることになるが、タブ部材Ｔが、係止部材Ｈを介して、パレット本体Ｐ’に配設された状態においては、係止部材Ｈを構成する係止部本体ｈ１や垂直部ｈ２が、パレット本体Ｐ’に形成された箱状体７の前壁７ｂの両端部に延設された係止縁７ｂ１に、当接、或いは、係止縁７ｂ１に近接して位置するように構成されている。従って、タブ部材Ｔに、パレット本体Ｐ’から、引き抜かれるような負荷が加わり、該負荷が、係止部材Ｈを、パレット本体Ｐ’の周壁１方向に移動させようとしても、係止部材Ｈを構成する係止部本体ｈ１や垂直部ｈ２が、係止縁７ｂ１に当接するので、係止部材Ｈの移動を防止することができる。
【００４０】
上述したように、タブ部材Ｔが，係止部材Ｈを介して、パレット本体Ｐ’に出し入れ自在に収容されるように構成されているので、タブが、薄肉状のヒンジ部を介して、パレットの側部に形成されている従来のパレットのように、ヒンジ部が損傷するようなことを防止することができる。
【００４１】
また、タブ部材Ｔの全体が、パレット本体Ｐ’内に収容されている状態のタブ部材付きパレットＰを段積みした際には、上述したように、パレット本体Ｐ’の周壁１が、パレット本体Ｐ’の底部２の周縁から上方に向かって、外側に傾斜するように立設されているので、図１２に示されているように、上方に位置するタブ部材付きパレットＰａの底部２及び周壁１の下部が、下方に位置するタブ部材付きパレットＰｂの底部２と外側に傾斜した周壁１とにより形成される空間部Ａ３に収容されることになるので、タブ部材付きパレットＰの段積み高さを、低くすることができ、従って、段積みされたタブ部材付きパレットＰの保管スペースを減少することができる。
【図面の簡単な説明】
【００４２】
【図１】図１は、本発明のタブ部材付きパレットの斜視図である。
【図２】図２は、タブ部材がパレット本体から引き出された状態の本発明のタブ部材付きパレットの斜視図である。
【図３】図３は、本発明のタブ部材付きパレットを構成するパレット本体の斜視図である。
【図４】図４は、図３に示されているパレット本体の一部断面を含む部分拡大斜視図である。
【図５】図５は、図３に示されているパレット本体の部分拡大斜視図である。
【図６】図６は、本発明のタブ部材付きパレットを構成するタブ部材の斜視図である。
【図７】図７は、本発明のタブ部材付きパレットを構成する係止部材の斜視図である。
【図８】図８は、本発明のタブ部材付きパレットを構成するパレット本体、タブ部材及び係止部材の部分分解斜視図である。
【図９】図９は、本発明のタブ部材付きパレットを構成するパレット本体、タブ部材及び係止部材が組み立てられた状態の部分垂直断面図である。
【図１０】図１０は、本発明のタブ部材付きパレットを構成するパレット本体、タブ部材及び係止部材が組み立てられた状態の部分拡大斜視図である。
【図１１】図１１は、図１０と同様の本発明のタブ部材付きパレットを構成するパレット本体、タブ部材及び係止部材が組み立てられた状態の部分拡大斜視図である。
【図１２】図１２は、本発明のタブ部材付きパレットが段積みされた状態の部分垂直断面図である。
【符号の説明】
【００４３】
Ａ２・・・・・・・タブスライド部収容空間部Ａ２
Ｈ・・・・・・・・係止部材
Ｐ・・・・・・・・タブ部材付きパレット
Ｐ’・・・・・・・パレット本体
Ｔ・・・・・・・・タブ部材
ｔ１・・・・・・・タブ本体
ｔ２・・・・・・・収容舌片
ｔ３・・・・・・・係止突起
１・・・・・・・・周壁
１ａ・・・・・・・側壁部
２・・・・・・・・底部
３・・・・・・・・スリット
７・・・・・・・・箱状体
１１・・・・・・・係止透孔
【図１】
2010116195.tif 000003
【図２】
2010116195.tif 000004
【図３】
2010116195.tif 000005
【図４】
2010116195.tif 000006
【図５】
2010116195.tif 000007
【図６】
2010116195.tif 000008
【図７】
2010116195.tif 000009
【図８】
2010116195.tif 000010
【図９】
2010116195.tif 000011
【図１０】
2010116195.tif 000012
【図１１】
2010116195.tif 000013
【図１２】
2010116195.tif 000014